(57)【特許請求の範囲】
【請求項１】
回転軸によって駆動される制動ドラムと、該制動ドラムの内周面に対向して配設された固定磁石手段と、該固定磁石手段と軸方向に隣接して周方向に回動可能に配設され、所定の制動位置と制動解除位置に作動可能に構成された可動磁石手段とを具備する渦電流式減速装置において、
該固定磁石手段および該可動磁石手段は、それぞれ非磁性材からなる環状のサイドプレートと、該サイドプレートの側面に周方向に所定の間隔をおいて配設され周方向の端部の極性が相対向する面で同極となるように配置された複数個の磁石と、該複数個の磁石のそれぞれ両側に配設された複数個のポールピースとを具備しており、
該固定磁石手段および該可動磁石手段の該ポールピースは、それぞれ該サイドプレートの外周面より突出して配設され、かつ、外周側端部がそれぞれ互いに接近する方向に突出して形成されている、
ことを特徴とする渦電流式減速装置。
【発明の詳細な説明】
【０００１】
【発明の属する技術分野】
本発明は、車両の主ブレーキとしてのフットブレーキを補助し、車両に減速制動を与えるための渦電流式減速装置に関する。
【０００２】
【従来の技術】
車両が長い坂道を下る際に、車両に生じる加速を抑制するためには車両に制動力を連続的に作用させる必要があり、この制動力を主ブレーキであるフットブレーキのみによって作用せしめると、ブレーキライニングが焼付き焼損する。このような問題を解消するために大型車両においては、従来から排気ブレーキを装備して降坂時等に補助ブレーキとして使用しているが、エンジンの高過給化による小排気量化等により十分な制動力が得られないのが現状である。そこで、車両の降坂時等において車両の走行速度を減速または制限する減速制動装置（リターダ）として渦電流式減速装置が提案され、実用に供されている。
【０００３】
渦電流式減速装置は、例えば特公平６ー１４７８２号公報や特公平７ー１１８９０１号公報に開示されている。
特公平６ー１４７８２号公報に開示された渦電流式減速装置は、車両に搭載された変速機の出力軸に取り付けられた制動ドラムと、周方向に等間隔をおいて複数個の永久磁石を装着した環状の磁石手段と、該磁石手段を制動ドラムに近接せしめて磁石手段が制動ドラムに磁界を及ぼす制動位置と制動ドラムから離間せしめて磁石手段が制動ドラムに磁界を及ぼさない制動解除位置に選択的に作動せしめるアクチュエータとからなっており、アクチュエータによって磁石手段を制動位置に位置付けると制動作用が行われ、磁石手段が制動解除位置に位置付けられると制動作用が解除される。
【０００４】
また、特公平７ー１１８９０１号公報に開示された渦電流式減速装置は、車両に搭載された変速機の出力軸によって駆動される制動ドラムと、該制動ドラムの内周面に対向して配設された固定磁石手段と、該固定磁石手段と軸方向に隣接して周方向に回動可能に配設され、所定の制動位置と非制動位置に作動可能に構成された可動磁石手段と、該可動磁石手段を制動位置と非制動位置に選択的に作動せしめるアクチュエータとからなっており、アクチュエータによって磁石手段を制動位置に位置付けると制動作用が行われ、磁石手段が制動解除位置に位置付けられると制動作用が解除される。
【０００５】
上記磁石手段は、磁性材からなる磁石支持環と該磁石支持環の外周面に所定の間隔をおいて配設された複数個の永久磁石とを具備している。そして、上記複数個の永久磁石は、外周側と内周側に磁極を有し、Ｎ極とＳ極が交互になるように配設されている。このように、上述した渦電流式減速装置は、磁石手段を構成する各磁石の磁極が外周側と内周側に形成されているので、磁石の周方向の寸法を大きくするする必要がある。
【０００６】
上記問題を解決する技術として本出願人は、回転軸によって駆動される制動ドラムの内部に、非磁性体からなる磁石支持筒を配設し、該磁石支持筒の外周面に等間隔に複数個の磁石を、周方向の端部の極性が相対向する面で同極となるように配設し、磁石と磁石との間に強磁性体を配設した磁石手段を備えた渦電流式減速装置を特願平１０ー３６２２７３号として提案した。
【０００７】
【発明が解決しようとする課題】
而して、上記各渦電流式減速装置は、磁石手段を構成する複数個の磁石が磁石支持筒の外周面に配設する構成であるため、磁石手段は磁石支持筒の厚さに相当する分だけ径方向の高さ寸法が大きくなり、このため、磁石手段および該磁石手段を収容する磁石ハウジングの重量が増大する。また、磁石手段の径方向の高さ寸法が大きくなると所定の制動能力を得るために制動ドラムの径を同一にした場合、磁石手段の内径が小さくなり、例えば車両に搭載された変速機の出力軸に装着され制動ドラムを取り付けるための取付けフランジの径方向の高さ寸法を小さくせざるを得ない。出力軸に装着される取付けフランジの径方向の高さ寸法が小さくなると、取付けフランジに例えばプロペラシャフトを取り付ける際に取付け作業が困難となる。
【０００８】
本発明は上記事実に鑑みてなされたもので、その技術的課題は、磁石手段の径方向の高さ寸法を小さくすることができる渦電流式減速装置、特に、制動ドラムの内周面に対向して配設された固定磁石手段と回動可能な可動磁石手段とを備え、可動磁石手段を制動位置と非制動位置に選択的に作動させる渦電流式減速装置を提供することにある。
【０００９】
【課題を解決するための手段】
本発明によれば、上記技術的課題を解決するために、
「回転軸によって駆動される制動ドラムと、該制動ドラムの内周面に対向して配設された固定磁石手段と、該固定磁石手段と軸方向に隣接して周方向に回動可能に配設され、所定の制動位置と制動解除位置に作動可能に構成された可動磁石手段とを具備する渦電流式減速装置において、
該固定磁石手段および該可動磁石手段は、それぞれ非磁性材からなる環状のサイドプレートと、該サイドプレートの側面に周方向に所定の間隔をおいて配設され周方向の端部の極性が相対向する面で同極となるように配置された複数個の磁石と、該複数個の磁石のそれぞれ両側に配設された複数個のポールピースとを具備しており、
該固定磁石手段および該可動磁石手段の該ポールピースは、それぞれ該サイドプレートの外周面より突出して配設され、かつ、外周側端部がそれぞれ互いに接近する方向に突出して形成されている」
ことを特徴とする渦電流式減速装置が提供される。
【００１３】
【発明の実施の形態】
以下、本発明に従って構成された渦電流式減速装置の好適実施形態を図示している図１乃至図７を参照して、更に詳細に説明する。
【００１４】
図１には、本発明に従って構成された渦電流式減速装置が車両に搭載された変速機の出力軸に装着された断面図が示されている。図示の実施形態における渦電流式減速装置、変速機１０の出力軸１１にスプライン嵌合され且つナット１２によって取り付けられた取付けフランジ１３に固着された制動ドラム２０を具備している。制動ドラム２０は、取付部２１１を備えたボス２１と、該ボス２１の図において右端から上方に延びる端壁２２、および該端壁２２の上端に溶接等の固着手段によって取り付けられた環状の制動部２３とによって形成されており、ボス２１の取付部２１１が上記取付けフランジ１３にボルト１４ａおよびナット１４ｂ等の締結手段によって固着されている。制動部２３は、磁性材によって構成されており、その外周面には複数個の放熱フィン２４が装着されている。
【００１５】
次に、上記制動ドラム２０の制動部２３の内周面と対向して配設された磁石ハウジング３０および該磁石ハウジング３０内に収容される磁石手段４０について説明する。
磁石ハウジング３０は、取付け部材３１と、該取付け部材３１の外周に一体に形成された中空円環状のハウジング本体３２とによって構成されている。取付け部材３１は円盤状に形成されており、その内周側端部が上記変速機１０のケース１５に締結ボルト１６によって取付けられている。中空円環状のハウジング本体３２は、内周壁３２１と外周壁３２２と右端壁３２３と左端壁３２４および外周壁３２２の図において左端から上方に突出して形成された中間壁３２５を備えており、外周壁３２２が上記制動ドラム２０を構成する環状の制動部２３の内周面と僅かな隙間をもって対向して配置されている。ハウジング本体３２を構成する外周壁３２２および右端壁３２３は、磁気的絶縁材である例えばアルミニウム等の非磁性材によって形成されており、外周壁３２２には図２に示すように周方向に所定の間隔をおいて複数個の窓３２２ａが形成されている。この複数個の窓３２２ａには、強磁性材からなる強磁性体３２６が配設されている。好ましくは、強磁性体３２６は外周壁３２２の成型時に鋳ぐるまれる。また、強磁性体３２６は外周壁３２２に溶接で取り付けてもよい。なお、右端壁３２３と中間壁３２５の上端には蓋板３２７が取付けボルト３２８によって装着されるようになっている。
【００１６】
磁石手段４０は、上記内周壁３２１の外周面に内周面がそれぞれ嵌合して配設され、上記外周壁３２２に装着された強磁性体３２６と対向する位置に配置された固定磁石手段５０と可動磁石手段６０とを具備している。
固定磁石手段５０について図１乃至図４を参照して説明する。図示の実施形態における固定磁石手段５０は、所定の間隔をおいて配設された一対の環状のサイドプレート５１、５２と、該サイドプレート５１と５２の間に周方向に所定の間隔をおいて配設された複数個の永久磁石５３と、該複数個の永久磁石５３のそれぞれ両側に配設された強磁性材からなるポールピース５４とからなっている。サイドプレート５１、５２は非磁性材によって形成されている。複数個の永久磁石５３は、軽量で強力な磁力を有するネオジム等の希土類から構成されており、周方向端部に磁極を有し、周方向端部の極性が相対向する面で同極となるように配置されている。従って、永久磁石５３のＮ極側に配置されたポールピース５４はＮ極として機能し、永久磁石５３のＳ極側に配置されたポールピース５４はＳ極として機能する。なお、永久磁石５３は、サイドプレート５１、５２の高さより大きい高さ寸法を有し、外周側がサイドプレート５１、５２の外周面より突出して配設されている。ポールピース５４は、外周側中央部が永久磁石５３より突出して形成されており、この中央部は可動磁石手段６０に隣接する側（サイドプレート５１側）が可動磁石手段６０に向けて突出して形成されている。このようにしてサイドプレート５１と５２の間に配設された複数個の永久磁石５３とポールピース５４は、サイドプレート５１、５２およびポールピース５４に設けられたボルト挿通穴にボルト５５を挿通し、該ボルト５５にナット５６を螺合することによって、サイドプレート５１、５２に取り付けられる。このように構成された固定磁石手段５０は、固定ピン３２９によって上記ハウジング本体３２の右端壁３２３に固定される。
【００１７】
可動磁石手段６０も上記固定磁石手段５０と同様に、一対の環状のサイドプレート６１、６２と、該サイドプレート６１と６２の間に周方向に所定の間隔をおいて配設された複数個の永久磁石６３と、該複数個の永久磁石６３のそれぞれ両側に配設された強磁性材からなるポールピース６４とからなっている。サイドプレート６１、６２は非磁性材によって形成されている。複数個の永久磁石６３は、ネオジム等の希土類から構成されており、周方向端部に磁極を有し、周方向端部の極性が相対向する面で同極となるように配置されている。従って、永久磁石６３のＮ極側に配置されたポールピース６４はＮ極として機能し、永久磁石６３のＳ極側に配置されたポールピース６４はＳ極として機能する。永久磁石６３は、サイドプレート６１、６２の高さより大きい高さ寸法を有し、外周側がサイドプレート６１、６２の外周面より突出して配設されている。ポールピース６４は、外周側中央部が永久磁石６３より突出して形成されており、この中央部は上記固定磁石手段５０に隣接する側（サイドプレート６１側）が固定磁石手段５０に向けて突出して形成されている。このようにしてサイドプレート６１と６２の間に配設された複数個の永久磁石６３とポールピース６４は、上記固定磁石手段５０と同様にサイドプレート６１、６２およびポールピース６４に設けられたボルト挿通穴にボルトを挿通し、ナット５６を螺合することによって、サイドプレート６１、６２に取り付けられる。なお、可動磁石手段６０の永久磁石６３とポールピース６４のピッチは、上記固定磁石手段５０の永久磁石５３とポールピース５４のピッチと同一寸法に構成されている。このように構成された可動磁石手段６０の内周面には、ステンレススチール板によって形成され表面に摩擦係数の小さい材料である例えばテフロン（商品名）をコーティングした環状の摺動部材６７が圧入して装着されている。可動磁石手段６０は、摺動部材６７を上記ハウジング本体３２の内周壁３２１の外周面に接触せしめて周方向に摺動可能に配設されている。
【００１８】
上記可動磁石手段６０の固定磁石手段５０と反対側（図１において左側）のサイドプレート６２には、アーム６６が取り付けられている。このアーム６６は、図示しない磁石作動アクチュエータに連結されている。図示しない磁石作動アクチュエータは可動磁石手段６０を上記内周壁３２１の外周面上を周方向に摺動せしめる。なお、磁石作動アクチュエータによる可動磁石手段６０の作動量は、図示の実施形態においては永久磁石６３およびポールピース６４のピッチに相当する寸法に設定されている。
【００１９】
以上のように、固定磁石手段５０および可動磁石手段６０からなる磁石手段４０は、それぞれ環状のサイドプレートと、該サイドプレートに周方向に所定の間隔をおいて配設された複数個の永久磁石と、該複数個の永久磁石のそれぞれ両側に配設された強磁性材からなるポールピースとからなっているので、複数個の永久磁石を磁石支持筒の外周面に配設した従来の磁石手段に比して、その径方向の高さ寸法を小さくすることができ、磁石手段４０および該磁石手段４０を収容する磁石ハウジング３０の重量を軽減することができる。また、磁石手段の径方向の高さ寸法を小さくすることができるので、所定の制動能力を得るために制動ドラム２０の径を同一にした場合、磁石手段４０の内径を大きく構成することができる。従って、出力軸１１に装着され制動ドラム２０を取り付けるための取付けフランジ１３の径方向の高さ寸法を大きくすることが可能となり、この取付けフランジ１３に例えばプロペラシャフトを取り付ける際に、その取付け作業が容易となる。
【００２０】
図示の実施形態における渦電流式減速装置は以上のように構成されており、以下その作動について説明する。
先ず、制動動作について説明する。図示しない磁石作動アクチュエータによって可動磁石手段６０を一方向に回動せしめ、図３に示すように固定磁石手段５０の永久磁石５３と可動磁石手段６０の永久磁石６３の極性が一致する磁石がそれぞれ隣接する制動位置に位置付けることによって、制動作用が行われる。
【００２１】
以下、制動作用について、図５を参照して説明する。
固定磁石手段５０の永久磁石５３と可動磁石手段６０の永久磁石６３の極性が一致する磁石がそれぞれ隣接する制動位置に位置付けられると、隣接する固定磁石手段５０のポールピース５４と可動磁石手段６０のポールピース６４は同極性となるので、固定磁石手段５０のポールピース５４と可動磁石手段６０のポールピース６４との間には磁気回路が形成されない。従って、固定磁石手段５０および可動磁石手段６０は、図５に示すように周方向に隣接する永久磁石５３（６３）とポールピース５４（６４）が、制動部２３との間に配設され非磁性材によって形成されたハウジング本体３２の外周壁３２２で磁気的に絶縁された強磁性材からなる強磁性体３２６を磁気通路として、制動ドラム２０の制動部２３と磁気的に接続される。この結果、固定側である固定磁石手段５０および可動磁石手段６０と回転側である制動ドラム２０の制動部２３とを通る磁気回路４１が形成される。従って、固定磁石手段５０および可動磁石手段６０と制動ドラム２０の制動部２３との相対速度差によって制動部２３の内周面に渦電流が生じ、制動部２３は制動トルクを受ける。
【００２２】
次に、制動解除動作について説明する。
上記図３に示す状態から、図示しない磁石作動アクチュエータによって可動磁石手段６０を他方向に作動して可動磁石手段６０を他方向に回動せしめる。そして、図６に示すように固定磁石手段５０の永久磁石５３と可動磁石手段６０の永久磁石６３の極性が逆極性となる磁石が隣接する制動解除位置に位置付けると、制動作用が解除される。
【００２３】
以下、制動作用が解除される理由について、図６および図７を参照して説明する。
図６および図７に示すように、制動解除位置に位置付けられると、隣接する固定磁石手段５０のポールピース５４と可動磁石手段６０のポールピース６４が互いに異極となっていることから、固定磁石手段５０と可動磁石手段６０との間に図６に示すように磁気短絡回路４２が形成される。このとき、固定磁石手段５０のポールピース５４と可動磁石手段６０のポールピース６４は、その外周側端部がそれぞれ互いに接近する方向に突出して形成されているので、磁気短絡回路４２を確実に形成することができる。従って、制動ドラム２０の制動部２３の内面へ垂直に作用する磁界は極めて微弱なものとなり、制動部２３には制動トルクが発生せず、制動作用が解除される。
【００２４】
ところで、本発明と同様なサイドプレートを用いてポールピースを固定する方法は、他の形式の渦電流式減速装置にも適用可能であり、その一参考例を、図８乃至図１０を参照して説明する。なお、図８乃至図１０に示す参考例における渦電流式減速装置は、磁石ハウジング３０および該磁石ハウジング３０内に収容される磁石手段４０が上記図１乃至図７に示す実施形態と異なるが、他の構成は図１乃至図７に示す実施形態と実質的に同一であるので、同一部材には同一符号を付して、その詳細な説明は省略する。
図８に示す渦電流式減速装置における磁石ハウジング３０は、中空円環状のハウジング本体３２を構成する外周壁３２２ａ即ち、制動ドラム２０を構成する環状の制動部２３の内周面と対向する外周壁３２２ａが、非磁性材からなる薄板によって形成されている。この外周壁３２２ａは、例えばオーステナイト系のステンレススチール、アルミニウム、耐熱性合成樹脂、強化繊維入りカーボン材等によって厚さ０．５〜１．０ｍｍ程度で円筒状に形成され、ボルト等の固着手段によってハウジング本体３２を構成する右端壁３２３および中間壁３２５により結合されている。このように図８乃至図１０に示す渦電流式減速装置においては、ハウジング本体３２を構成する外周壁３２２ａを非磁性材からなる薄板によって形成することにより、上記図１乃至図７に示す実施形態における強磁性体３２６を除去することができる。
【００２５】
磁石手段４０は、上記図１乃至図７の実施形態における固定磁石手段５０および可動磁石手段６０と同様に、一対の環状のサイドプレート７１、７２と、該サイドプレート７１と７２の間に周方向に所定の間隔をおいて配設された複数個の永久磁石７３と、該複数個の永久磁石７３のそれぞれ両側に配設された強磁性材からなるポールピース７４、７４とからなっている。サイドプレート７１、７２は非磁性材によって形成されている。複数個の永久磁石７３は、ネオジム等の希土類から構成されており、周方向端部に磁極を有し、周方向端部の極性が相対向する面で同極となるように配置されている。従って、永久磁石７３のＮ極側に配置されたポールピース７４はＮ極として機能し、永久磁石７３のＳ極側に配置されたポールピース７４はＳ極として機能する。永久磁石７３は、サイドプレート７１、７２の高さより大きい高さ寸法を有し、外周側がサイドプレート７１、７２の外周面より突出して配設されている。なお、図９に示す形態においては、ポールピース７４とポールピース７４との間は隙間が設けられている。このようにしてサイドプレート７１と７２の間に配設された複数個の永久磁石７３とポールピース７４は、サイドプレート７１、７２およびポールピース７４に設けられたボルト挿通穴にボルト７５を挿通し、該ボルト７５にナット７６に螺合することによって、サイドプレート７１、７２に取り付けられる。このように構成された磁石手段４０は、上記ハウジング本体３２の内周壁３２１の外周面に嵌合され軸方向に摺動可能に配設されている。
【００２６】
上記磁石手段４０の図８において左側のサイドプレート７２には、作動ロッド７６が取り付けられている。この作動ロッドは、図示しない磁石作動アクチュエータに連結されている。図示しない磁石作動アクチュエータは磁石手段４０を図８において実線で示す制動位置と、図８において２点鎖線で示す制動解除位置に作動せしめる。
【００２７】
図８乃至図１０に示す渦電流式減速装置は以上のように構成されており、その作用について説明する。
渦電流式減速装置によって制動を行う場合は、図示しない磁石作動アクチュエータを作動して、永久磁石７３を図８において実線で示す制動位置に位置付けると、制動作用が行われる。即ち、磁石手段４０は、図１０に示すように周方向に隣接する永久磁石７３と該永久磁石７３の両側に配設されたポールピース７４、７４が、制動部２３との間に配設され非磁性材からなる薄肉の外周壁３２２ａを経て制動ドラム２０の制動部２３を通る磁気回路４３を形成する。従って、回転する制動部２３が磁界を横切る際に制動部２３に渦電流が発生じ、制動部２３は制動トルクを受ける。
【００２８】
次に、制動を解除する場合について説明する。
図８において実線で示す制動状態から、図示しない磁石作動アクチュエータを作動して、磁石手段４０を図８において２点鎖線で示す制動解除位置に位置付ける。磁石手段４０が制動解除位置に位置付けられると、永久磁石７３は制動ドラム２０を構成する制動部２３と対向しないので、制動部２３は制動トルクを受けない。
【００２９】
次に、本発明と同様なサイドプレートを用いてポールピースを固定する方法を、さらに別の形式の渦電流式減速装置に適用した他の参考例について、図１１乃至図１３を参照して説明する。なお、図１１乃至図１３に示す参考例における渦電流式減速装置は、上記図９に示す形態における磁石手段４０を上記図１に示す実施形態における磁石ハウジング３０に適用したもので、上記各形態における同一部材には同一符号を付して、その詳細な説明は省略する。
図１１乃至図１３に示す参考例においては、磁石手段４０は、一対の環状のサイドプレート７１、７２と、該サイドプレート７１と７２の間に周方向に所定の間隔をおいて配設された複数個の永久磁石７３と、該複数個の永久磁石７３のそれぞれ両側に配設された強磁性材からなるポールピース７４、７４とからなっている。このように構成された磁石手段４０の内周面には、ステンレススチール板によって形成され表面に摩擦係数の小さい材料である例えばテフロン（商品名）をコーティングした環状の摺動部材７７が圧入して装着されている。磁石手段４０は、摺動部材７７を上記ハウジング本体３２の内周壁３２１の外周面に接触せしめて周方向に摺動可能に配設されている。なお、永久磁石７３とポールピース７４、７４とからなる一組毎の周方向長さは、磁石ハウジング３０の外周壁３２２配設された強磁性体３２６の周方向長さと略対応する寸法に構成され、その間隔は強磁性体３２６のピッチに相当する寸法に設定されている。
【００３０】
図１１乃至図１３に示す渦電流式減速装置は以上のように構成されており、その作用について説明する。
渦電流式減速装置によって制動を行う場合は、図示しない磁石作動アクチュエータを作動して、磁石手段４０を一方向に回動せしめ、図１２に示すように各永久磁石７３を強磁性体３２６と強磁性体３２６との間に位置するように位置付ける。従って、永久磁石７３の両側に配設されたポールピース７４、７４は、隣接する強磁性体３２６とそれぞれ対向する。この結果、図１２に示すように制動ドラム２０の制動部２３を通る磁気回路４４が形成され、制動部２３は制動トルクを受ける。
【００３１】
次に、制動解除動作について説明する。
上記図１２に示す状態から、図示しない磁石作動アクチュエータを作動して、磁石手段４０を他方向に回動せしめ、図１３に示すように各永久磁石７３を強磁性体３２６の中央部に対向する位置に位置付ける。従って、永久磁石７３の両側に配設されたポールピース７４、７４も強磁性体３２６とそれぞれ対向する。この結果、図１３に示すように永久磁石７３とポールピース７４、７４および強磁性体３２６との間に磁気短絡回路４４が形成される。このため、制動ドラム２０の制動部２３の内面へ垂直に作用する磁界は極めて微弱なものとなり、制動部２３には制動トルクが発生せず、制動作用が解除される。
【００３２】
以上、本発明を図示の実施形態の基づいて説明したが、本発明は実施形態のみに限定されるものではなく、本発明の技術思想の範囲で種々の変形は可能である。例えば、図示の実施形態においては、一対のサイドプレートによって磁石とポールピースを挟持する構成の磁石手段を示したが、磁石手段は１枚のサイドプレートの側面に磁石とポールピースを装着する構成としてもよい。
【００３３】
【発明の効果】
本発明による渦電流式減速装置は以上のように構成されているので、以下に述べる作用効果を奏する。
【００３４】
即ち、本発明によれば、回転軸によって駆動される制動ドラムとの内周面に対向して配設された磁石手段を、環状のサイドプレートと、該サイドプレートの側面に周方向に所定の間隔をおいて配設され周方向の端部の極性が相対向する面で同極となるように配置された複数個の磁石と、該複数個の磁石のそれぞれ両側に配設された強磁性体からなるポールピースとによって構成したので、複数個の永久磁石を磁石支持筒の外周面に配設した従来の磁石手段に比して、その径方向の高さ寸法を小さくすることができ、磁石手段および該磁石手段を収容する磁石ハウジングの重量を軽減することができる。また、磁石手段の径方向の高さ寸法を小さくすることができので、所定の制動能力を得るために制動ドラムの径を同一にした場合、磁石手段の内径を大きく構成することができる。従って、回転軸に装着され制動ドラムを取り付けるための取付けフランジの径方向の高さ寸法を大きくすることが可能となり、この取付けフランジに例えば車両のプロペラシャフトを取り付ける際に、その取付け作業が容易となる。
そして、本発明の渦電流式減速装置は、制動ドラムの内周面に対向して配設された固定磁石手段と、固定磁石手段と軸方向に隣接して周方向に回動可能に配設された可動磁石手段とを具備するものであって、固定磁石手段および該可動磁石手段のポールピースは、それぞれサイドプレートの外周面より突出して配設され、かつ、外周側端部がそれぞれ互いに接近する方向に突出して形成されている。そのため、対向するポールピースの間の磁気短絡回路や外方の制動ドラムへの磁気回路を確実に形成することができ、制動解除時には制動トルク（引きずりトルク）が発生せず、また、制動時には確実な制動力を生じさせることができる。
【図面の簡単な説明】
【図１】  本発明に従って構成された渦電流式減速装置の一実施形態を示す要部断面図。
【図２】  図１に示す渦電流式減速装置を構成する磁石ハウジングおよび磁石手段の部分斜視図。
【図３】  図１に示す渦電流式減速装置を構成する磁石手段の部分斜視図。
【図４】  図３に示す磁石手段を構成する固定磁石手段の部分平面図
【図５】  図１に示す渦電流式減速装置の制動状態におけるＡ−Ａ線断面図。
【図６】  図３に示す磁石手段の制動解除状態の部分平面図
【図７】  図１に示す渦電流式減速装置の制動解除状態の要部断面図。
【図８】  本発明と同様なサイドプレートを使用する渦電流式減速装置の一参考例を示す図。
【図９】  図８に示す渦電流式減速装置を構成する磁石手段の部分正面図。
【図１０】  図８に示す渦電流式減速装置の制動状態におけるＢ−Ｂ線断面図。
【図１１】  本発明と同様なサイドプレートを使用する渦電流式減速装置の別参考例を示す図。
【図１２】  図１１に示す渦電流式減速装置の制動状態におけるＣ−Ｃ線断面図。
【図１３】  図１１に示す渦電流式減速装置の制動解除状態におけるＣ−Ｃ線断面図。
【符号の説明】
１０：変速機
１１：変速機の出力軸
２０：制動ドラム
２３：制動ドラムの制動部
２４：放熱フィン
３０：磁石ハウジング
４０：磁石手段
５０：固定磁石手段
５１：サイドプレート
５２：サイドプレート
５３：永久磁石
５４：ポールピース
６０：可動磁石手段
６１：サイドプレート
６２：サイドプレート
６３：永久磁石
６４：ポールピース
６５：摺動部材
６６：アーム
７１：サイドプレート
７２：サイドプレート
７３：永久磁石
７４：ポールピース
７６：作動ロッド
【図１】
0003882398.tif 000002
【図２】
0003882398.tif 000003
【図３】
0003882398.tif 000004
【図４】
0003882398.tif 000005
【図５】
0003882398.tif 000006
【図６】
0003882398.tif 000007
【図７】
0003882398.tif 000008
【図８】
0003882398.tif 000009
【図９】
0003882398.tif 000010
【図１０】
0003882398.tif 000011
【図１１】
0003882398.tif 000012
【図１２】
0003882398.tif 000013
【図１３】
0003882398.tif 000014